(57)【要約】【課題】体積の小さい、効率のよい、精度の高い、駆動音の小さい自動焦点レンズ群の駆動装置を提供する。【解決手段】主に座台(1)上にＵ環(2)が設置され、Ｕ環(2)内部にコイル(4)が設置され、Ｕ環(2)内部のコイル(4)内側に永久磁石(3)が設置され、レンズマウント(5)が該コイル(4)に接触した状態で、座台(1)上に設置され、コイル(4)と永久磁石(3)との電磁感応方式により直接レンズマウント(5)を駆動することができる。【選択図】図２
0003122570.tif 000002
【実用新案登録請求の範囲】
【請求項１】
主に座台(1)と、Ｕ環(2)と、永久磁石(3)と、コイル(4)と、レンズマウント(5)と、弾力プレート(6)と、圧迫板(7)と、金属蓋(8)とからなり、
該座台(1)光軸方向に環状のＵ環(2)が設置され、
磁場を形成する為に、該Ｕ環(2)内部の内壁(21)端側に永久磁石(3)が設置され、Ｕ環(2)内部の外側にコイル(4)が設置され、
該レンズマウント(5)が該コイル(4)に接触した状態で、該永久磁石(3)外径に挿入され、即ち、該Ｕ環(2)の径向隙間に挿入され、
該レンズマウント(5)上に１つの弾力プレート(6)を具備し、
該弾力プレート(6)は圧迫板(7)内側に熔接され、
該弾力プレート(6)の圧迫により該レンズマウント(5)を座台(1)に嵌合させることができることを特徴とする自動焦点レンズ群の駆動装置。
【請求項２】
該レンズマウント(5)下方外径の嵌座(51)と上方外径の嵌座(52)はそれぞれ該座台(1)下方の座孔(11)内と上方の座孔(12)内に嵌入されることを特徴とする請求項１記載の自動焦点レンズ群の駆動装置。
【請求項３】
該レンズマウント(5)が連れて回転することを防止する為に、嵌座(51)の径向より突出する２つの凸部(511)が座孔(11)孔径の２つの凹槽(111)に嵌入され、
嵌座(52)の径向より突出する４つの凸部(521)がそれぞれ該座台(1)の４つの欠槽(13)に嵌入されることを特徴とする請求項１記載の自動焦点レンズ群の駆動装置。
【請求項４】
外界静電気発生で駆動装置が破壊されることを防止する為に、圧迫板(7)の外側に１つのアースの金属蓋(8)が設けられることを特徴とする請求項１記載の自動焦点レンズ群の駆動装置。
【考案の詳細な説明】
【技術分野】
【０００１】
本考案は一種の自動焦点レンズ群の駆動装置を提供するもので、
特にＵ環(2)内部のコイル(4)と永久磁石(3)との電磁感応方式により直接レンズマウント(5)を駆動することができる自動焦点レンズ群の駆動装置に関するものである。
【背景技術】
【０００２】
従来の自動焦点式の撮影装置(100)は図１が示す如く、モーター(101)と、
ネジロッド(102)と、伝動体(103)と、レンズマウント(104)と、活動レンズ(105)
とからなり、
モーター(101)にネジロッド(102)が連結され、
伝動体(103)がネジロッド(102)上に設置され、
且つ、ネジロッド(102)に帯動する構造により、活動レンズ(105)を設置する為のレンズマウント(104)を往復移動させることができ、
上記により活動レンズ(105)自動焦点の駆動装置の構造を成すことができるが、この種の撮影装置(100)は体積が大きくなり、構造も複雑で、自動焦点のコントロールがモーター(101)により実施される為、正確度に限界があり、又、駆動音が大きく、更に、ネジロッド(102)と伝動体(103)の摩擦により接触部分の磨耗が発生する等の欠点がある。
【考案の開示】
【考案が解決しようとする課題】
【０００３】
本考案は、上記従来の欠点を解消した自動焦点レンズ群の駆動装置を提供することを課題とする。
【課題を解決するための手段】
【０００４】
本考案の主な目的は座台(1)上にＵ環(2)が設置され、
Ｕ環(2)内部にコイル(4)が設置され、
Ｕ環(2)内部のコイル(4)内側に永久磁石(3)が設置され、
レンズマウント(5)が該コイル(4)に接触した状態で、座台(1)上に設置され、
コイル(4)と永久磁石(3)との電磁感応方式により直接レンズマウント(5)を駆動することができ、
上記構造により体積の小さい、効率のよい、精度の高い、駆動音の小さい自動焦点レンズ群の駆動装置を提供することができる。
【考案の効果】
【０００５】
座台(1)上にＵ環(2)が設置され、
Ｕ環(2)内部にコイル(4)が設置され、
Ｕ環(2)内部のコイル(4)内側に永久磁石(3)が設置され、
レンズマウント(5)が該コイル(4)に接触した状態で、座台(1)上に設置され、
コイル(4)と永久磁石(3)との電磁感応方式により直接レンズマウント(5)を駆動することができ、
上記構造により体積の小さい、効率のよい、精度の高い、駆動音の小さい自動焦点レンズ群の駆動装置を提供することができる。
【考案を実施するための最良の形態】
【０００６】
本考案の構造の特徴及びその効果を以下に実施例とそれに合わせた図式及び詳細な説明を列挙し、本考案の長所を詳述する。
図２、３が示す如く、本考案は一種の自動焦点レンズ群の駆動装置を提供するもので、主に座台(1)と、Ｕ環(2)と、永久磁石(3)と、コイル(4)と、レンズマウント(5)と、弾力プレート(6)と、圧迫板(7)と、金属蓋(8)とからなり、
該座台(1)光軸方向に環状のＵ環(2)が設置され、
磁場を形成する為に、該Ｕ環(2)内部の内壁(21)端側に永久磁石(3)が設置され、Ｕ環(2)内部の外側にコイル(4)が設置され、
該レンズマウント(5)が該コイル(4)に接触した状態で、該永久磁石(3)外径に挿入され、即ち、該Ｕ環(2)の径向隙間に挿入され、
該レンズマウント(5)上に１つの弾力プレート(6)を具備し、
該弾力プレート(6)は圧迫板(7)内側に熔接され、
該弾力プレート(6)の圧迫により該レンズマウント(5)を座台(1)に嵌合させることができる。
【０００７】
該駆動装置の嵌合方式は、図４、５が示す如く、
該レンズマウント(5)下方外径の嵌座(51)と上方外径の嵌座(52)はそれぞれ該座台(1)下方の座孔(11)内と上方の座孔(12)内に嵌入されるが、ともに一定の隙間を有することにより、レンズマウント(5)が光軸上をスムーズに移動できる。
【０００８】
又、レンズ焦点調節時、該レンズマウント(5)が連れて回転することを防止する為に、嵌座(51)の径向より突出する２つの凸部(511)が座孔(11)孔径の２つの凹槽(111)に嵌入され、
嵌座(52)の径向より突出する４つの凸部(521)がそれぞれ該座台(1)の４つの欠槽(13)に嵌入される。
【０００９】
又、外界静電気発生で駆動装置が破壊されることを防止する為に、圧迫板(7)の外側に１つのアースの金属蓋(8)が設けられる。
【００１０】
上記構造により、該コイル(4)の電流と永久磁石(3)の磁場感応とにより発生する動力により、該レンズマウント(5)の光軸方向の移動位置をコントロールすることができ、自動焦点レンズ群の駆動装置を構成することができる。
【図面の簡単な説明】
【００１１】
【図１】従来の構造図である。
【図２】本考案の立体分解図である。
【図３】本考案の組み合わせ断面図である。
【図４】本考案のレンズマウント(5)と座台(1)の構造図である。
【図５】本考案のレンズマウント(5)と座台(1)のもう１つの構造図である。
【符号の説明】
【００１２】
従来の符号の説明：
100       撮影装置
101       モーター
102       ネジロッド
103       伝動体
104       レンズマウント
105       活動レンズ
本考案の符号の説明：
1         座台
11        座孔
111      
凹槽
12        座孔
13        欠槽
2         U環
21        内壁
3         永久磁石
4        コイル
5        レンズマウント
51        嵌座
511       凸部
52        嵌座
521       凸部
６        弾力プレート
7          圧迫板
8          金属蓋
【図１】
0003122570.tif 000003
【図２】
0003122570.tif 000004
【図３】
0003122570.tif 000005
【図４】
0003122570.tif 000006
【図５】
0003122570.tif 000007